(57)【要約】【課題】取扱い情報表示部が使用するまでの間に薄れて見難くなることを抑制する吸収性物品を提供する。【解決手段】液不透過性のバックシート１２と、液透過性のトップシート１４と、バックシート１２とトップシート１４との間に配置された吸収体１３と、バックシート１２の吸収体１３とは反対の面に配置される第１外装シート１１Ａと、取扱い情報を表示し、第１外装シート１１Ａの裏面に配置される取扱い情報表示部２３とを備える。取扱い情報表示部２３は、吸収性物品１０を複数枚重ね合わせて配置したときに外部から視認可能な位置に配置されており、取扱い情報表示部２３より外側に位置する第１外装シート１１Ａは、その全光線透過率が６５％以上、９９％以下である。【選択図】図２
2017046750.tif 000002
【特許請求の範囲】
【請求項１】
液不透過性を有するバックシートと、
液透過性を有するトップシートと、
前記バックシートと前記トップシートとの間に位置する吸収体と、
前記バックシートに対して前記吸収体とは反対側である外側に位置する外装シートであって、１枚以上のシート要素を含む前記外装シートとを備え、
前記外装シートは、吸収性物品の取扱い情報を表示する取扱い情報表示部であって、前記外装シートのなかで最も外側に位置する前記シート要素の外面よりも内側に位置する前記取扱い情報表示部を含み、
前記外装シートのなかで前記取扱い情報表示部よりも外側に位置し、かつ、前記取扱い情報表示部と重なる部分の全光線透過率が６５％以上、９９％以下である
吸収性物品。
【請求項２】
前記外装シートの備える前記シート要素が複数枚であり、
前記取扱い情報表示部は、前記シート要素間に位置する
請求項１に記載の吸収性物品。
【請求項３】
前記外装シートの備える前記シート要素が１枚であり、
前記取扱い情報表示部は、前記シート要素が備える面のうちで前記バックシートと向き合う面上に位置している
請求項１に記載の吸収性物品。
【請求項４】
前記取扱い情報表示部は、前記取扱い情報を含む表示面を有した前記シート要素とは異なる基材を備え、前記基材において前記表示面とは反対側の面よりも前記表示面が外側に位置する
請求項１から３のうちいずれか１項に記載の吸収性物品。
【請求項５】
前記外装シートは、前記バックシートからはみ出した部分を備え、
前記取扱い情報表示部は、前記はみ出した部分に配置されている
請求項１ないし４のうちいずれか１項に記載の吸収性物品。
【請求項６】
前記取扱い情報表示部は、前記吸収性物品が折り畳まれた状態で、または、畳まれた複数の前記吸収性物品が重ねられた状態で視認可能な位置に配置されている
請求項１ないし５のうちいずれか１項に記載の吸収性物品。
【発明の詳細な説明】
【技術分野】
【０００１】
本発明は、取扱い情報を表示する取扱い情報表示部を備えた吸収性物品に関する。
【背景技術】
【０００２】
吸収性物品として使い捨ておむつや尿パッドなどが知られている。これらの吸収性物品は、通常、液不透過性のバックシートと、液透過性のトップシートと、トップシートとバックシートの間に配置された吸収体とから構成される。そして、着用時における吸収体は、トップシートを介して排泄物を保持し、吸収性物品の外部に排泄物が漏出することは、バックシートによっても抑えられる。
【０００３】
また、吸収性物品は、取扱い情報を表示する取扱い情報表示部を備える。吸収性物品における取扱い情報は、例えば、吸収性物品のサイズ、吸収性物品の使用時における前後方向、吸収性物品のシリアル番号等の識別情報など、吸収性物品の取り扱いに必要とされる情報であり、通常、吸収性物品の最外面に印刷される。そして、吸収性物品を取り扱う取扱い者は、取扱い情報表示部が表示する取扱い情報を視認することにより、取り扱いに必要な情報を把握できる。
【０００４】
特許文献１に記載された使い捨ておむつでは、取扱い情報表示部が前身頃と後身頃とを連結する股下部に配置され、かつ、外装シートの最外面に印刷によって形成されている。このような位置に取扱い情報表示部が配置される構成であれば、使い捨ておむつが包装体から取り出されてから使用するまでの間に、使い捨ておむつが一時的に収納体に積み重ねられるとしても、取扱い情報表示部が使い捨ておむつの外部に臨むため、各おむつの取扱い情報を取扱い者は視認することができる。
【先行技術文献】
【特許文献】
【０００５】
【特許文献１】特許第３９５４５４９号公報
【発明の概要】
【発明が解決しようとする課題】
【０００６】
ところで、特許文献１の使い捨ておむつでは、取扱い情報表示部が最外面に印刷によって形成されている。このため、使い捨ておむつが使用される前に、取扱い情報表示部と他の物品とが擦れると、取扱い情報が視認され難くなるおそれがある。例えば、使い捨ておむつが包装体に包装されているとき、使い捨ておむつが包装体から収納体へ詰め替えられるとき、および、収納体に収納されているときには、包装体や収納体や他の使い捨ておむつなどと取扱い情報表示部とが擦れ、その結果、取扱い情報が視認され難くなるおそれがある。
本発明は、吸収性物品が使用される前にそれが備える取扱い情報表示部が視認され難くなることを抑制できる吸収性物品を提供することを目的とする。
【課題を解決するための手段】
【０００７】
上記課題を解決するための吸収性物品は、液不透過性を有するバックシートと、液透過性を有するトップシートと、前記バックシートと前記トップシートとの間に位置する吸収体と、前記バックシートに対して前記吸収体とは反対側である外側に位置する外装シートであって、１枚以上のシート要素を含む前記外装シートとを備える。そして、前記外装シートは、吸収性物品の取扱い情報を表示する取扱い情報表示部であって、前記外装シートのなかで最も外側に位置する前記シート要素の外面よりも内側に位置する前記取扱い情報表示部を含み、前記外装シートのなかで前記取扱い情報表示部よりも外側に位置し、かつ、前記取扱い情報表示部と重なる部分の全光線透過率が６５％以上、９９％以下である。
【０００８】
上記構成によれば、取扱い情報表示部がシート要素を通じて視認可能であり、かつ、取扱い情報表示部の外側がシート要素によって物理的に保護されるため、吸収性物品の使用される前にそれが備える取扱い情報表示部が視認され難くなることを抑えられる。
【０００９】
上記吸収性物品において、前記外装シートの備える前記シート要素は、複数枚であり、前記取扱い情報表示部は、前記シート要素間に位置してもよい。
上記構成によれば、複数枚のシート要素を含む外装シートを備えた吸収性物品において、吸収性物品の使用される前にそれが備える取扱い情報表示部が視認され難くなることを抑えられる。
【００１０】
上記吸収性物品において、前記外装シートの備える前記シート要素が１枚であり、前記取扱い情報表示部は、前記シート要素が備える面のうちで前記バックシートと向き合う面上に位置してもよい。
上記構成によれば、１枚のシート要素を備える外装シートを備えた吸収性物品において、吸収性物品の使用される前にそれが備える取扱い情報表示部が視認され難くなることを抑えられる。
【００１１】
上記吸収性物品において、前記取扱い情報表示部は、前記取扱い情報を含む表示面を有した基材を備え、前記基材において前記表示面とは反対側の面よりも前記表示面が外側に位置してもよい。
上記構成によれば、取扱い情報表示部が、シート要素とは異なる基材を備え、その基材の表示面に取扱い情報が含まれるため、外装シートが備えるシート要素に取扱い情報を付する工程を吸収性物品の製造工程から省くことができる。
【００１２】
上記吸収性物品において、前記外装シートは、前記バックシートからはみ出した部分を備え、前記取扱い情報表示部は、前記はみ出した部分に位置してもよい。
上記構成によれば、バックシートと重ならない位置に取扱い情報表示部を配置することができる。
上記吸収性物品において、前記取扱い情報表示部は、前記吸収性物品が折り畳まれた状態で、または、畳まれた複数の前記吸収性物品が重ねられた状態で視認可能な位置に配置してもよい。
上記構成によれば、出荷時の包装体や保管時の収納体に収納された状態においても、取扱い情報表示部を視認することができる。
【発明の効果】
【００１３】
本発明によれば、取扱い情報表示部が使用するまでの間に薄れて視認され難くなることを抑制する吸収性物品を提供することを可能とした。
【図面の簡単な説明】
【００１４】
【図１】本発明の吸収性物品を具体化した第１実施形態におけるパンツ型使い捨ておむつを股下部側から見た斜視図である。
【図２】第１実施形態におけるパンツ型使い捨ておむつをトップシートの側から見た分解斜視図である。
【図３】（ａ）は、第１実施形態おけるパンツ型使い捨ておむつをトップシート側から見た平面図であり、（ｂ）は、（ａ）においてａ部で示すバックシートが配置された部分の断面図であり、（ｃ）は、（ａ）においてｂ部で示すバックシートが配置されていない部分の断面図である。
【図４】繊維径と不織布の全光線透過率との関係を示す図である。
【図５】（ａ）は、第１実施形態におけるパンツ型使い捨ておむつの折り目線を説明する斜視図であり、（ｂ）は、パンツ型使い捨ておむつが折り畳まれた状態を示す斜視図である。
【図６】（ａ）は、変形例１におけるパンツ型使い捨ておむつの折り目線を説明する斜視図であり、（ｂ）は、パンツ型使い捨ておむつが折り畳まれた状態を示す斜視図である。
【図７】変形例２におけるパンツ型使い捨ておむつであり、畳まずに重ねられたパンツ型使い捨ておむつを示す斜視図である。
【図８】（ａ）は、変形例３におけるパンツ型使い捨ておむつをトップシート側から見た平面図であり、（ｂ）は、（ａ）においてａ部で示す股下領域の断面図であり、（ｃ）は、（ａ）においてｂ部で示す胴回り領域の断面図である。
【図９】変形例３における取扱い情報表示部を示す図であり、取扱い情報が基材に印刷された印刷物である構成を示す断面図である。
【発明を実施するための形態】
【００１５】
図１〜図５を参照して本発明における吸収性物品を具体化した一実施形態におけるパンツ型使い捨ておむつについて説明する。
〔第１実施形態〕
図１に示すように、パンツ型使い捨ておむつ１０（以下、単に「おむつ１０」という。）は、人体の腹部形状に追従する形状を有する前身頃１０Ｆと、人体の背部形状に追従する形状を有する後身頃１０Ｒと、前身頃１０Ｆおよび後身頃１０Ｒをつなぐ股下部１０Ｃとを備える。
【００１６】
前身頃１０Ｆにおいて股下部１０Ｃとは反対側の端部である上端部分と、後身頃１０Ｒにおいて股下部１０Ｃとは反対側の端部である上端部分とは、人体のウエストの部分を取り囲むウエスト周り開口端部１０Ｗを構成している。また、前身頃１０Ｆにおける左右両端部、後身頃１０Ｒにおける左右両端部、および、股下部１０Ｃにおける左右両端部とは、人体の太股部分を取り囲む形状を有した左右一対の脚周り開口端部１０Ｌを構成している。
【００１７】
おむつ１０は、おむつ１０の外面を含む外装シート１１を備える。外装シート１１の左右両側部のうちで、左右の脚周り開口端部１０Ｌの構成部分を除いた部分は、外装シート１１の左右両端部である。外装シート１１におけるこれら左右両端部は、外装シート１１の端部同士が接合された接合部１０Ｊである。
【００１８】
図２に示すように、おむつ１０は、外装シート１１と、液不透過性を有したバックシート１２と、親水性を有したシートであるコアラップ１５で包まれた吸収体１３と、液透過性を有したトップシート１４とを備える。おむつ１０において、外装シート１１に対するバックシート１２側は内側であり、バックシート１２に対する外装シート１１側は外側である。おむつ１０では、外装シート１１、バックシート１２、吸収体１３、トップシート１４の順に、外装シート１１から内側に向けて、各構成要素が重なっている。
【００１９】
外装シート１１は、バックシート１２に接合され、例えば、おむつ１０の良好な手触りを得るために薄い不織布などで形成されることが好ましい。外装シート１１は、互いに重なる２つのシート要素から構成され、２つのシート要素のなかで外側に位置するシート要素は、第１外装シート１１Ａであり、２つのシート要素のなかで内側に位置するシート要素は、第２外装シート１１Ｂである。
【００２０】
第１外装シート１１Ａと第２外装シート１１Ｂとは、互いに同じ材料によって形成されてもよいし、互いに異なる材料によって形成されてもよく、例えば、織布、不織布、多孔性フィルムからなる群から選ばれる１つ以上の材料によって形成されている。第１外装シート１１Ａと第２外装シート１１Ｂとが、不織布から形成される場合は、第１外装シート１１Ａと第２外装シート１１Ｂとの各々が、カードエンボス、スパンボンドなどにより製造されることが好ましい。
【００２１】
バックシート１２を形成する材料は、例えば、液不透過性を有したポリエチレン樹脂製のフィルムである。バックシート１２には、通気性を確保するため、例えば、０．１μｍ以上４．０μｍ以下の微細孔が多数形成されている。こうしたバックシート１２の内面は、外装シート１１に接合されている。
【００２２】
トップシート１４を形成する材料は、例えば、織布、不織布、多孔性フィルムから構成される群から選ばれる１以上の材料である。トップシート１４には、例えば、ポリプロピレン、ポリエチレン、ポリエステル、ナイロンのような熱可塑性樹脂の繊維であって親水化処理が施された繊維から構成される不織布が用いられることが好ましい。
【００２３】
外装シート１１の左右両側部において、それの長手方向の中央部には、脚周り開口端部１０Ｌを構成する半円弧状の形状を有した一対の切欠端部１１Ｃが形成されている。
【００２４】
吸収体１３は、前身頃１０Ｆ、股下部１０Ｃ、および、後身頃１０Ｒに跨るように細長い矩形形状を有している。吸収体１３を形成する材料は、例えば、フラップパルプ、高吸収性ポリマー、親水性シートなどの吸収性材料である。吸収体１３は、コアラップ１５によって包まれることによって、その形状が保持されている。コアラップ１５で包まれた吸収体１３は、バックシート１２とトップシート１４との間に位置する。トップシート１４は、コアラップ１５で包まれた吸収体１３をトップシート１４とバックシート１２との間に挟むように、バックシート１２に接合される。なお、吸収体１３は、コアラップ１５で包まれていなくてもよい。
【００２５】
外装シート１１において一対の切欠端部１１Ｃに隣接した位置には、脚周りギャザーを構成する糸状の弾性伸縮部材１６が伸長状態で接合されている。また、外装シート１１においてウエスト周り開口端部１０Ｗに隣接した位置には、ウエスト周りギャザーを構成する弾性伸縮部材１７が伸長状態で接合されている。
【００２６】
トップシート１４における幅方向の左右両側縁部には、立体ギャザーを構成する液不透過性を有した一対のサイドシート１８が備えられている。一対のサイドシート１８における外側端縁部は、切欠端部１１Ｃと同様の形状を有している。一対のサイドシート１８のそれぞれには、その内側端縁部を吸収体１３側に折り返して起立させる弾性伸縮部材１９が伸張状態で配置され、弾性伸縮部材１９は、サイドシート１８とサイドシート１８に重ねられる撥水性シートとで挟み込まれる。弾性伸縮部材１９は、収縮した際に、サイドシート１８を着用者の肌当接方向に向かって立ち上げ立体ギャザーを構成する。
【００２７】
図３（ｂ）は、図３（ａ）におけるａ部の断面構造であり、おむつ１０においてバックシート１２が含まれる部分の断面構造を示す。図３（ｂ）が示すように、おむつ１０における外面から内側に向けて、ａ部では、第１外装シート１１Ａと、第２外装シート１１Ｂと、バックシート１２と、吸収体１３と、トップシート１４とが順に重なっている。
【００２８】
図３（ｃ）は、図３（ａ）におけるｂ部の断面構造であり、おむつ１０においてバックシート１２が含まれない部分の断面構造を示す。図３（ｃ）が示すように、おむつ１０における外面から内側に向けて、ｂ部では、第１外装シート１１Ａと、第２外装シート１１Ｂと、サイドシート１８とが順に重なっている。
【００２９】
第１外装シート１１Ａは、おむつ１０において最も外側に位置する面である最外面２１を含み、最外面２１以外の面として裏面２２を備えている。裏面２２上には、おむつ１０の取扱いに関する情報である取扱い情報を表示する取扱い情報表示部２３が位置している。取扱い情報は、例えば、おむつ１０のサイズ、おむつ１０の前後、おむつ１０の製造会社名、おむつ１０のブランド名、厚型やうす型などのタイプなどであって、おむつ１０の取扱いに際して必要とされる情報である。
【００３０】
取扱い情報表示部２３は、おむつ１０に関する取扱い情報を、文字、記号、簡単な図形などによって表示する。例えば、取扱い情報表示部２３が、裏面２２上に位置する固化したインクであるとき、おむつ１０の外側から見て取扱い情報である文字等が正しく視認されるように、裏面２２を鏡面として左右が反転された文字などが裏面２２に印刷される。本実施形態では、取扱い情報表示部２３として、おむつ１０の前後を示す指標である「うしろ」という文字列と、おむつ１０のサイズを示す指標である「Ｍ」という文字とが、印刷によって裏面２２上に形成されている。なお、おむつ１０の前後を示す指標は、文字列の他、矢印や三角などの記号であってもよい。
【００３１】
第１外装シート１１Ａのなかで取扱い情報表示部２３よりも外側に位置し、かつ、取扱い情報表示部２３と重なる部分は、光透過性を有している。第１外装シート１１Ａが有する光透過性は、裏面２２上に位置する取扱い情報表示部２３に外光を透過させると共に、その取扱い情報表示部２３が反射する反射光を視認可能な程度に透過させる機能である。
【００３２】
具体的に、第１外装シート１１Ａの有する全光線透過率は、６５％以上、９９％以下であり、それによって、バックシート１２や取扱い情報表示部２３などの保護を第１外装シート１１Ａが図りながらも、取扱い情報を構成する文字や図形が最外面２１を通して視認できるようにしている。ここで、「全光線透過率」とは、ＪＩＳ  Ｋ  ７３６１−１（プラスチック−透明材料の全光線透過率の試験方法−第一部：シングルビーム法）に準拠した測定法により測定された値である。全光線透過率が９９％以下であることによって、バックシート１２や取扱い情報表示部２３は、それ以外の他の部材との擦れなどから保護される。また、全光線透過率が６５％以上であることによって、取扱い情報表示部２３の表示する取扱い情報は、最外面２１から視認可能となる。
【００３３】
なお、おむつ１０は、後身頃１０Ｒに、キャラクタ等の図柄が大きく印刷されることも多い。取扱い情報表示部２３は、キャラクタの図柄に対して、文字、記号等で構成され、さらに、使用者に意味を把握できる程度に視認可能である必要がある。このため、本実施形態では、第１外装シート１１Ａの全光線透過率がキャラクタ等の図柄だけの場合より高く設定されている。
【００３４】
ここで、図４は、第１外装シート１１Ａに使用される各種の不織布について、それの繊維径〔デニール〕と全光線透過率との関係を示す。なお、図４では、各不織布についてヘーズメータにて１０点測定した平均値がプロットされている。
【００３５】
図４に示すように、不織布における全光線透過率は、不織布の繊維径〔デニール〕が適切な範囲に選択されることによって、６５％以上、９９％以下となる。その他、不織布における全光線透過率は、目付や酸化チタンなどの填料が不織布に添加されることによっても、６５％以上、９９％以下となる。
【００３６】
なお、外装シート１１、特に第１外装シート１１Ａは、おむつ１０を取り扱う取扱者が、おむつ１０の外側から接する部材である。第１外装シート１１Ａに対する手触りは、繊維径〔デニール〕が小さいほど良好である。一方で、第１外装シート１１Ａは、それを通して取扱い情報を視認させる部材でもある。第１外装シート１１Ａにおける全光線透過率は、繊維径が大きいほど高い。このように、手触りが改善されると取扱い情報の視認性は低くなり、反対に、手触りが低下すると取扱い情報の視認性が高まるというトレードオフの関係から、これら手触りと視認性との双方が、それぞれで求められる程度よりも良好であるように、繊維径〔デニール〕、目付、填料の量などが適宜設定される。
なお、繊維径は、０．５以上、１．２以下が好ましい。また、目付は、目付量が１６ｇ／ｍ２以下が好ましい。
【００３７】
図５（ａ）に示されるように、おむつ１０は、接合部１０Ｊとほぼ平行な折り目線である、第１折り目線２６と第２折り目線２７とを備えている。第１折り目線２６と第２折り目線２７とは、２つの接合部１０Ｊの間に位置し、かつ、取扱い情報表示部２３を挟んでいる。取扱い情報表示部２３は、第１折り目線２６と第２折り目線２７との間であって、後身頃１０Ｒの中程であるほぼ中央部に位置している。おむつ１０は、これら第１折り目線２６と第２折り目線２７とに沿って、２つの接合部１０Ｊが互いに近づくように、かつ、取扱い情報表示部２３と接合部１０Ｊとが重ならないように、折り畳まれる。
【００３８】
おむつ１０は、第３折り目線２８を備えている。第３折り目線２８は、第１外装シート１１Ａの長さ方向に対して直交する方向に延び、かつ、２つの脚周り開口端部１０Ｌのほぼ上端部を繋いでいる。第３折り目線２８に対するウエスト周り開口端部１０Ｗ側には、取扱い情報表示部２３が位置している。おむつ１０は、こうした第３折り目線２８に沿って、取扱い情報表示部２３が折曲部の近傍に位置するように、例えば二つ折りによって折り畳まれる。
【００３９】
図５（ｂ）に示すように、第１折り目線２６、第２折り目線２７、および、第３折り目線２８に沿って折り畳まれたおむつ１０は、この状態で重ねられ、出荷時の包装体に収納される。また、包装体から取り出されてから使用開始までの間には、保管時の収納体におむつ１０は収納され、こうした保管時においても、おむつ１０は、折り畳まれた状態で収納される。包装体や収納体に収納された状態において、取扱い情報表示部２３の位置は、第３折り目線２８に沿う折曲部の近傍であって、折り畳まれた複数のおむつ１０が重ねられた状態であっても、取扱い情報を外部から視認可能としている。
【００４０】
なお、おむつ１０における折り畳みの様式は、おむつ１０が収容される包装体の大きさによって適宜設定される。第１折り目線２６、第２折り目線２７の位置、および、第３折り目線２８の位置は、折り畳みの様式によって設定される。取扱い情報表示部２３の位置は、折り畳まれた状態のおむつ１０において、取扱い情報を視認させられる部位に定められる。また、取扱い情報表示部２３の位置は、折り畳まれた状態の複数のおむつ１０が重ねられた状態で、取扱い情報を視認させられる部位に定められる。
【００４１】
［試験例］
第１外装シート１１Ａ、および、第２外装シート１１Ｂの各々に使用することの可能な各種の不織布の全光線透過率を不織布の種類ごとに示す。試験例１から試験例４までの各不織布は、いずれもスパンボンド法によって形成されている。また、試験例１，２の各繊維は、柔軟性樹脂であり、試験例３，４の各繊維は、ＰＰ（ポリプロピレン）樹脂である。さらに、試験例１は、目付量が１６ｇ／ｍ２であり、試験例２〜４は、目付量が１７ｇ／ｍ２である。
【００４２】
【表１】
2017046750.tif 000003
【００４３】
表１に示すように、試験例１から試験例４のいずれの全光線透過率も、単体の不織布として６５％以上である。こうした全光線透過率の結果から、例えば、吸収体１３のフィルム上に印刷物として取扱い情報表示部２３が形成され、試験例１〜試験例４のいずれか１枚の不織布が取扱い情報表示部２３上に配置されるとしても、取扱い情報を十分に視認させることができる。
次に、試験例１,２の各不織布に試験例３,４の各不織布を重ね、それによって得られた２枚の不織布からなる積層体の全光線透過率を表２に示す。
【００４４】
【表２】
2017046750.tif 000004
【００４５】
表２に示すように、試験例１と試験例４との積層体が有する全光線透過率は、６５％を下回っており、この積層体を通した取扱い情報の表示では、取扱い情報が視認され難いことが確認された。これに対し、試験例１と試験例３との積層体が有する全光線透過率、試験例２と試験例３との積層体が有する全光線透過率、および、試験例２と試験例４との積層体が有する全光線透過率は、いずれも６５％以上であり、これらの積層体を通した取扱い情報の表示において、取扱い情報が十分に視認されることが確認された。
【００４６】
これら積層体での全光線透過率の結果から、例えば、第２外装シート１１Ｂにおいてバックシート１２と対向する面上に取扱い情報が印刷される構成であっても、積層体の全光線透過率が６５％以上であれば、取扱い情報を十分に視認させることができる。
【００４７】
取扱い情報表示部２３は、例えば、原反から巻き出された第１外装シート１１Ａの裏面２２に対してインクジェットプリンタを用いて印刷される。印刷にインクジェットプリンタを用いることで、取扱い情報表示部２３の内容を容易に変更することができる。そして、おむつ１０は、第１外装シート１１Ａと第２外装シート１１Ｂとバックシート１２をホットメルト接着剤などの接着剤で接着する。また、バックシート１２には、トップシート１４を介してコアラップ１５で包まれた吸収体１３を介して接合される。
【００４８】
そして、取扱い情報表示部２３の外側を覆う第１外装シート１１Ａの全光線透過率が、６５％以上９９％以下であるため、最外面２１を通じて取扱い情報を視認させることが可能である。こうした視認性は、おむつ１０が包装体に収容された状態から、おむつ１０の使用が開始されるまでの間に、第１外装シート１１Ａによって保護される。
【００４９】
以上、上記実施形態によれば以下に列挙する効果を得ることができる。
（１）おむつ１０が使用される前にそれが備える取扱い情報表示部２３が視認され難くなることを抑えられる。
【００５０】
（２）取扱い情報表示部２３の外側に位置するシート要素が１枚であるため、こうしたシート要素が２枚以上である構成と比べ、取扱い情報の視認性を高められる。
【００５１】
（３）取扱い情報表示部２３が、第１外装シート１１Ａとバックシート１２との間に位置するため、取扱い情報表示部２３が着用者の肌に直接触れることはない。したがって、例えば、取扱い情報が有する色を濃くすることができ、より鮮明に、取扱い情報表示部２３を視認させることができる。
【００５２】
（４）取扱い情報表示部２３は、インクジェットプリンタを用いて印刷される。したがって、取扱い情報表示部２３の文字や記号等を、情報処理装置で作成しインクジェットプリンタに出力するだけで形成することができ、また、内容変更も容易に行うことができる。
【００５３】
なお、上記実施形態は以下のように適宜変更して実施することもできる。
〔変形例１：取扱い情報表示部の位置〕
図６（ａ）に示すように、取扱い情報表示部２３の位置は、後身頃１０Ｒではなく、股下部１０Ｃの折曲部に沿って配置されてもよい。こうした構成においても、接合部１０Ｊより内側において、接合部１０Ｊとほぼ平行な第１折り目線２６と第２折り目線２７とに沿って、接合部１０Ｊが内側に折り畳まれる。また、ウエスト周り開口端部１０Ｗと脚周り開口端部１０Ｌに亘る長さ方向のほぼ中間位置において、長さ方向に対して直交する第３折り目線２８に沿って、おむつ１０は、例えば二つ折りによって折り畳まれる。
【００５４】
図６（ｂ）に示すように、第１折り目線２６、第２折り目線２７、および、第３折り目線２８に沿って小さく折り畳まれたおむつ１０は、この状態で、出荷時の包装体に重ねられて収納される。また、包装体から取り出され使用開始までの間一時的に保管される収納体に収納されるときも、この状態で収納される。包装体や収納体に収納された状態において、取扱い情報表示部２３の位置は、ウエスト周り開口端部１０Ｗと隣接する位置であって、同様に畳まれたおむつ１０が重ねられた状態であっても外部から視認可能な位置となる。上記構成によっても、上述した（１）〜（４）に準じた効果を得ることができる。
【００５５】
〔変形例２：折り畳みの形態〕
図７に示すように、変形例１と同様、股下部１０Ｃの折曲部に沿って取扱い情報表示部２３は配置されている。この際に、複数枚のおむつ１０の各々は、折り畳まれない状態で重ねられる。例えば、乳幼児用のおむつなどは、その大きさが小さく、折り畳まれるまでもなく、包装体や収納体に収納されることが多い。このように、折り畳まれない状態で包装体や収納体におむつが収納される形態であっても、上述した（１）〜（４）に準じた効果を得ることができる。なお、こうした収容の形態は、上記実施形態に記載のおむつ１０にも適用することはできる。
【００５６】
〔変形例３：おむつの構成〕
図８（ａ）に示すように、おむつ３０は、吸収体１３が配置された矩形形状を有する股下領域３１と、股下領域３１の長手方向の両側に位置する胴回り領域３２とを備えている。図８（ｂ）に示すように、股下領域３１では、着用者の肌側から見て、外側から順に、外装シート３３と、液不透過性のバックシート３４と、吸収体３５と、着用者の肌に触れる液透過性のトップシート３６とが順に重なる。図８（ｃ）に示すように、胴回り領域３２では、着用者の肌側から見て、外側から順に、外装シート３３と、インナーシート３７と、押さえシート３８とが順に重なる。
【００５７】
ここで、外装シート３３は、上述の実施形態における最外面に位置する第１外装シート１１Ａに相当し、インナーシート３７が第２外装シート１１Ｂに相当する。そして、外装シート３３とインナーシート３７との間には、胴回りギャザーを構成する弾性伸縮部材が位置する。
【００５８】
取扱い情報表示部２３は、外装シート３３の裏面、すなわち、バックシート３４と対向する面に文字などによって構成され、例えば、股下領域３１に位置する。具体的には、図５に示すように、後身頃の外装シート３３において、折り畳まれたおむつ１０が重ねられた状態であっても、外部から視認可能な位置に、取扱い情報表示部２３が位置する。また、図６に示すように、股下部の外装シート３３に、取扱い情報表示部２３が位置する。
【００５９】
・上記実施形態、および、各変形例の各々において、取扱い情報表示部２３は、第１外装シート１１Ａの裏面２２上、第２外装シート１１Ｂが有する面のうち第１外装シート１１Ａの裏面２２と対向する面上、第２外装シート１１Ｂが有する面のうちバックシート１２と対向する面上の少なくとも１つに位置してもよい。これらの各構成においても、外装シート１１のなかで取扱い情報表示部２３よりも外側に位置し、かつ、取扱い情報表示部２３と重なる部分の全光線透過率が６５％以上、９９％以下であれば、取扱い情報を視認させ、その視認状態が低下することが抑えられる。
【００６０】
・上記実施形態、および、各変形例の各々において、おむつの折り畳まれる形態は、二つ折りや三つ折りなどであってもよい。折り方や折り曲げる数は、特に限定されるものではなく、取扱い情報表示部２３が外部から視認される状態に折り畳まれることが好ましい。
【００６１】
・上記実施形態、および、各変形例の各々において、外装シート１１,３３を構成するシート要素は、１枚以上であればよい。外装シート１１,３３を構成するシート要素が１枚であれ、３枚以上であれ、外装シート１１,３３のなかで取扱い情報表示部２３よりも外側に位置し、かつ、取扱い情報表示部２３と重なる部分の全光線透過率が６５％以上、９９％以下であれば、取扱い情報を視認させ、その視認状態が低下することが抑えられる。例えば、おむつ１０において、第２外装シート１１Ｂは割愛してもよい。この場合、バックシート１２上には、第１外装シート１１Ａのみとなる。
【００６２】
・上記実施形態、および、各変形例において、外装シート１１,３３においてバックシート１２とは重ならない位置、例えば、図３（ｃ）に示す位置に、取扱い情報表示部２３が位置してもよい。図５および図６に示すように、具体的に、第１折り目線２６や第２折り目線２７の位置は、バックシート１２からはみ出した吸収体１３は配置されていない部分であり、この部分に、取扱い情報表示部２３を配置することもできる。第１折り目線２６や第２折り目線２７の位置も、畳まれたおむつ１０が重ねられた状態であっては、外部から視認可能な位置である。図３（ｂ）に示すように、この場合において、取扱い情報表示部２３は、第１外装シート１１Ａの裏面２２に印刷してもよいし、第２外装シート１１Ｂの第１外装シート１１Ａと対向する面やサイドシート１８と対向する面に印刷された印刷部であってもよい。
【００６３】
・上記実施形態、および、変形例１,２の各々において、外装シート１１のなかでサイドシート１８と対向する部分に、取扱い情報表示部２３が配置されるときには、その取扱い情報表示部２３を避けるように、弾性伸縮部材が位置してもよいし、弾性伸縮部材が割愛されてもよい。このように、皺の発生しない位置を設け、このような位置に取扱い情報表示部２３を配置することによって、外装シート１１が弾性伸縮部材によって多数の皺が寄って取扱い情報が読み難くなることを抑制することができる。
【００６４】
・変形例３の胴回り領域３２において、取扱い情報表示部２３を配置する場合には、取扱い情報表示部２３が外装シート３３の押さえシート３８と対向する面に設けられる。具体的に、取扱い情報表示部２３は、おむつ３０を上述した図５や図６のように折り畳む場合、おむつ３０が重ねられたときにも視認可能なように、第１折り目線２６や第２折り目線２７に沿う位置に配置される。
【００６５】
・変形例３において胴回り領域３２は、弾性伸縮部材により皺が発生する部分である。この場合、上述のように、皺の発生しない位置を設け、このような位置に取扱い情報表示部２３を配置することによって、外装シート１１が弾性伸縮部材によって多数の皺が寄って取扱い情報が読み難くなることを抑制することができる。また、股下領域３１と胴回り領域３２の両方に取扱い情報表示部２３を設けるようにしてもよい。この際、２つの取扱い情報表示部の内容は、同じであってもよいし、異なっていてもよい。
【００６６】
・上記実施形態、および、各変形例の各々において、外装シート１１,３３のなかでバックシート１２と対向する位置と、バックシート１２,３４と対向しない位置との少なくとも一方に、取扱い情報表示部２３を配置してもよい。この際、２つ以上の取扱い情報表示部２３が示す取扱い情報は、互いに同じであってもよいし、互いに異なっていてもよい。上記構成においても、上記（１）〜（４）に準じた効果を得ることができる。
【００６７】
・上記実施形態、および、各変形例の各々において、取扱い情報表示部は、取扱い情報が付された部材を備え、その部材とシート要素とは、別部材であってもよい。
図９に示すように、取扱い情報表示部２３は、基材４１を備え、取扱い情報表示部２３の表示する取扱い情報４２は、基材４１が備える表示面に印刷されている。この場合、基材４１は、合成樹脂フィルムや不織布で構成されており、不透明なものであってもよいし、透明または半透明のものであってもよい。不透明な基材４１の場合、取扱い情報４２の印刷面、すなわち、基材４１の表示面は、第１外装シート１１Ａや外装シート３３と対向するように第１外装シート１１Ａや外装シート３３に接着剤等で固定される。
・なお、基材４１が光透過性を有する構成であれば、取扱い情報４２の印刷面は、第１外装シート１１Ａや外装シート３３と対向するようにしてもよいし、バックシート１２（３４）や押さえシート３８と対向してもよい。そして、基材４１は、第１外装シート１１Ａや外装シート３３に接着剤等で固定される。この際に、取扱い情報表示部２３が備える基材４１を含め、取扱い情報を示す印刷物などよりも外側の構成において、全光線透過率が６５％以上９９％以下であることが好ましい。
【００６８】
このように、取扱い情報表示部２３が基材４１を備える構成であれば、外装シートに取扱い情報を印刷する工程を、おむつの製造工程から省略することができる。
【００６９】
・外装シートのなかで取扱い情報表示部２３よりも外側に位置し、かつ、取扱い情報表示部２３と重なる部分の全光線透過率の下限は、７０％以上が好ましく、８０％以上がより好ましい。
【００７０】
・取扱い情報表示部２３は、インクジェットプリンタを使用して印刷する他、グラビア印刷やフレキソ印刷などの印刷によって形成された印刷物であってもよいし、取扱い情報を含む貼着物であってもよく、取扱い情報を表示する機能を有していればよい。
【００７１】
・吸収性物品は、テープ型のおむつであってもよいし、尿パッド等であってもよい。
【符号の説明】
【００７２】
１０…おむつ、１０Ｆ…前身頃、１０Ｒ…後身頃、１０Ｃ…股下部、１０Ｗ…ウエスト周り開口端部、１０Ｌ…脚周り開口端部、１０Ｊ…接合部、１１…外装シート、１１Ａ…第１外装シート、１１Ｂ…第２外装シート、１１Ｃ…切欠端部、１２…バックシート、１３…吸収体、１４…トップシート、１５…コアラップ、１６…弾性伸縮部材、１７…弾性伸縮部材、１８…サイドシート、２１…最外面、２２…裏面、２３…取扱い情報表示部、２６…第１折り目線、２７…第２折り目線、２８…第３折り目線、３０…おむつ、３１…股下領域、３２…胴回り領域、３３…外装シート、３４…バックシート、３５…吸収体、３６…トップシート、３７…インナーシート、３８…押さえシート、４１…基材、４２…取扱い情報。
【図１】
2017046750.tif 000005
【図２】
2017046750.tif 000006
【図３】
2017046750.tif 000007
【図４】
2017046750.tif 000008
【図５】
2017046750.tif 000009
【図６】
2017046750.tif 000010
【図７】
2017046750.tif 000011
【図８】
2017046750.tif 000012
【図９】
2017046750.tif 000013